(57)【要約】【課題】媒体の搬送系に加わる負荷が変動するのを抑制し、印字品位を向上させることができるようにする。【解決手段】ロール紙４０から引き出された媒体に対して印字を行う印字装置と、引き出された媒体の残りの部分であるロール部分４１を回転自在に支持する回転支持部と、媒体を搬送する搬送部材と、前記回転支持部によって支持されたロール部分４１を押さえる媒体押え部とを有する。印字が終了して媒体の搬送が停止させられたときに、付勢部材によって蓄えられた付勢力で押えローラが逆方向に回転させられるので、ロール部分４１がイナーシャによって回転し続けるのを抑制することができる。【選択図】図１
2015134655.tif 000002
【特許請求の範囲】
【請求項１】
（ａ）ロール紙から引き出された媒体に対して印字を行う印字装置と、
（ｂ）引き出された媒体の残りの部分であるロール部分を回転自在に支持する回転支持部と、
（ｃ）媒体を搬送する搬送部材と、
（ｄ）前記回転支持部によって支持されたロール部分を押さえる媒体押え部とを有するとともに、
（ｅ）該媒体押え部は、装置本体に対して揺動自在に配設されたアーム部、該アーム部に対して回転自在に配設され、前記ロール部分に所定の押付力で押し付けられ、ロール部分の回転に従動して回転させられる押えローラ、及び該押えローラの回転に伴って、押えローラを逆方向に回転させるための付勢力を蓄える付勢部材を備えることを特徴とする画像形成装置。
【請求項２】
（ａ）前記回転支持部を備えた下筐体と、
（ｂ）該下筐体に対して開閉自在に配設された上筐体とを有するとともに、
（ｃ）前記媒体押え部は、上筐体に対して揺動自在に配設される請求項１に記載の画像形成装置。
【請求項３】
（ａ）前記ロール紙を収容する収容部を有するとともに、
（ｂ）前記回転支持部は前記収容部に配設された複数の支持ローラから成る請求項１又は２に記載の画像形成装置。
【請求項４】
前記搬送部材は、前記印字装置と対向させて回転自在に配設されたプラテンである請求項１〜３のいずれか１項に記載の画像形成装置。
【発明の詳細な説明】
【技術分野】
【０００１】
本発明は、画像形成装置に関するものである。
【背景技術】
【０００２】
従来、長尺状の媒体としての用紙（連続紙）を巻回させて形成されたロール紙に対して画像の形成、すなわち、印字を行うことができるようにしたプリンタ、複写機、ファクシミリ、複合機等のロール紙用の画像形成装置、例えば、ロール紙プリンタにおいては、給紙装置が配設され、該給紙装置にロール紙が配設され、給紙装置においてロール紙から引き出された用紙が、印字ヘッドユニットとプラテンとの間に形成される印字部に給紙され、該印字部において印字が行われるようになっている。
【０００３】
前記給紙装置には、軸支持式の給紙装置、及びドロップイン式（投込み式）の給紙装置があり、軸支持式の給紙装置においては、ロール紙の中心孔に繰出リール等のシャフトが挿通され、該シャフトがロール紙プリンタの本体、すなわち、装置本体の所定の箇所に係止させられ、これにより、ロール紙はシャフトを中心にして回転自在に支持される。一方、ドロップイン式の給紙装置においては、装置本体の所定の箇所に半筒状の収容部が形成され、該収容部内にロール紙が載置され、これにより、ロール紙は収容部内に配設された複数の支持ローラによって回転自在に支持される（例えば、特許文献１参照。）。
【０００４】
前記軸支持式の給紙装置においては、ロール紙を交換する際に、ロール紙の中心孔に対してシャフトを抜き差しする必要があるので、ロール紙を交換するための作業が煩わしいのに対して、前記ドロップイン式の給紙装置においては、ロール紙を交換する際に、ロール紙を収容部に対して挿脱するだけよいので、ロール紙を交換するための作業を簡素化することができる。したがって、一般的に、ドロップイン式の給紙装置が使用される。
【０００５】
また、前記印字部においては、プラテンが回転させられ、ロール紙から引き出された用紙が、印字ヘッドユニット及びプラテンによって挟持されて搬送され、この間、引き出された用紙の残りの部分であるロール部分が給紙装置内で回転させられる。
【０００６】
なお、ドロップイン式の給紙装置においては、ロール部分が収容部によって支持されるので、用紙が搬送され、ロール部分が回転させられるのに伴って、ロール部分が収容部から浮き上がることがあり、その場合、用紙を安定させて給紙することができない。そこで、収容部にロール紙支持レバーを配設し、ロール紙支持レバーに取り付けられたロール紙押えローラによってロール部分を押さえ、ロール部分が収容部から浮き上がるのを防止するようにしている。
【先行技術文献】
【特許文献】
【０００７】
【特許文献１】特開２００９−９６５９５号公報
【発明の概要】
【発明が解決しようとする課題】
【０００８】
しかしながら、前記従来のロール紙プリンタにおいては、印字が行われている間、ロール部分は給紙装置内で回転させられるので、印字が終了し、用紙が搬送されなくなったときに、給紙装置内でロール部分が、例えば、イナーシャ（慣性力）によって回転し続けることがあり、その場合、用紙に弛みが発生してしまう。
【０００９】
その状態で、再び用紙の搬送を開始すると、弛みがなくなる瞬間に用紙の搬送系に加わる負荷が変動し、用紙の搬送不良が発生して用紙上の印字位置がずれることがあり、印字品位が低下してしまう。
【００１０】
また、ロール紙押えローラによってロール紙を押さえるようにしたドロップイン式の給紙装置においては、ロール部分が収容部から浮き上がるのを防止することはできるが、用紙の弛みが発生するのを防止することができないので、用紙上の印字位置がずれるのを防止することはできない。
【００１１】
本発明は、前記従来のロール紙プリンタの問題点を解決して、媒体の搬送系に加わる負荷が変動するのを抑制し、印字品位を向上させることができる画像形成装置を提供することを目的とする。
【課題を解決するための手段】
【００１２】
そのために、本発明の画像形成装置においては、ロール紙から引き出された媒体に対して印字を行う印字装置と、引き出された媒体の残りの部分であるロール部分を回転自在に支持する回転支持部と、媒体を搬送する搬送部材と、前記回転支持部によって支持されたロール部分を押さえる媒体押え部とを有する。
【００１３】
そして、該媒体押え部は、装置本体に対して揺動自在に配設されたアーム部、該アーム部に対して回転自在に配設され、前記ロール部分に所定の押付力で押し付けられ、ロール部分の回転に従動して回転させられる押えローラ、及び該押えローラの回転に伴って、押えローラを逆方向に回転させるための付勢力を蓄える付勢部材を備える。
【発明の効果】
【００１４】
本発明によれば、画像形成装置においては、ロール紙から引き出された媒体に対して印字を行う印字装置と、引き出された媒体の残りの部分であるロール部分を回転自在に支持する回転支持部と、媒体を搬送する搬送部材と、前記回転支持部によって支持されたロール部分を押さえる媒体押え部とを有する。
【００１５】
そして、該媒体押え部は、装置本体に対して揺動自在に配設されたアーム部、該アーム部に対して回転自在に配設され、前記ロール部分に所定の押付力で押し付けられ、ロール部分の回転に従動して回転させられる押えローラ、及び該押えローラの回転に伴って、押えローラを逆方向に回転させるための付勢力を蓄える付勢部材を備える。
【００１６】
この場合、媒体押え部が、装置本体に対して揺動自在に配設されたアーム部、該アーム部に対して回転自在に配設され、前記ロール部分に所定の押付力で押し付けられ、ロール部分の回転に従動して回転させられる押えローラ、及び該押えローラの回転に伴って、押えローラを逆方向に回転させるための付勢力を蓄える付勢部材を備え、印字が終了して媒体の搬送が停止させられたときに、付勢部材が、蓄えた付勢力で押えローラを逆方向に回転させるので、印字が終了するのに伴って、ロール部分がイナーシャによって回転し続けるのを抑制することができ、媒体に弛みが発生するのを抑制することができる。
【００１７】
したがって、媒体の搬送が再び開始されたときに媒体の搬送系に加わる負荷が変動することがないので、媒体上の印字位置がずれることがなくなり、印字品位を向上させることができる。
【図面の簡単な説明】
【００１８】
【図１】本発明の実施の形態における給紙装置の断面図である。
【図２】本発明の実施の形態におけるロール紙プリンタのアッパカバーを閉鎖した第１の状態を示す斜視図である。
【図３】本発明の実施の形態におけるロール紙プリンタのアッパカバーを開放した第１の状態を示す斜視図である。
【図４】本発明の実施の形態におけるロール紙プリンタのアッパカバーを開放した第２の状態を示す斜視図である。
【図５】本発明の実施の形態におけるロール紙プリンタのアッパカバーを閉鎖した第２の状態を示す斜視図である。
【図６】本発明の実施の形態における用紙押え部の斜視図である。
【図７】本発明の実施の形態における支持ローラによるロール紙の支持状態を説明するための図である。
【図８】本発明の実施の形態における用紙押え部の要部拡大図である。
【図９】本発明の実施の形態におけるバックテンションローラの分解斜視図である。
【図１０】本発明の実施の形態におけるロール紙プリンタの動作を説明するための第１の図である。
【図１１】本発明の実施の形態におけるロール紙プリンタの動作を説明するための第２の図である。
【図１２】本発明の実施の形態におけるロール紙プリンタの動作を説明するための第３の図である。
【発明を実施するための形態】
【００１９】
以下、本発明の実施の形態について図面を参照しながら詳細に説明する。この場合、画像形成装置としてのロール紙プリンタについて説明する。
【００２０】
図１は本発明の実施の形態における給紙装置の断面図、図２は本発明の実施の形態におけるロール紙プリンタのアッパカバーを閉鎖した第１の状態を示す斜視図、図３は本発明の実施の形態におけるロール紙プリンタのアッパカバーを開放した第１の状態を示す斜視図、図４は本発明の実施の形態におけるロール紙プリンタのアッパカバーを開放した第２の状態を示す斜視図、図５は本発明の実施の形態におけるロール紙プリンタのアッパカバーを閉鎖した第２の状態を示す斜視図、図６は本発明の実施の形態における用紙押え部の斜視図、図７は本発明の実施の形態における支持ローラによるロール紙の支持状態を説明するための図、図８は本発明の実施の形態における用紙押え部の要部拡大図、図９は本発明の実施の形態におけるバックテンションローラの分解斜視図である。
【００２１】
図において、Ｐｒは長尺状の媒体としての用紙（連続紙）を巻回させて形成されたロール紙４０に対して印字を行うためのロール紙プリンタ、１０は上筐体としてのアッパカバー、３０は下筐体としてのフレームシャーシであり、前記アッパカバー１０は、前壁部１０１、後壁部１０２、側壁部１０３、１０４及び頂壁部１０５を備え、該頂壁部１０５を頂部とし、フレームシャーシ３０と対向する面が開放された箱状体から成る。また、フレームシャーシ３０は、前壁部２０１、後壁部２０２、側壁部２０３、２０４及び底壁部２０５を備え、該底壁部２０５を底部とし、アッパカバー１０と対向する面が開放された箱状体から成る。前記アッパカバー１０は、一端が前記側壁部１０３、１０４に取り付けられ、他端が側壁部２０３、２０４内に挿入された一対のアーム型のヒンジｈｇによってフレームシャーシ３０に対して開閉自在に配設される。
【００２２】
そして、前記アッパカバー１０内にアッパユニット１１が配設され、該アッパユニット１１は、アッパカバー１０の開閉に伴って、揺動させられ、フレームシャーシ３０に対して接離させられる。さらに、アッパユニット１１は、アッパカバー１０の前記頂壁部１０５の内面に取り付けられた支持部材としてのアッパフレームＵＦ、該アッパフレームＵＦにおけるアッパカバー１０の前記前壁部１０１の近傍に取り付けられた印字装置としての印字ヘッドユニット１２、及びアッパフレームＵＦにおけるアッパカバー１０の前記後壁部１０２の近傍において、プリンタＰｒの本体、すなわち、装置本体に対して、本実施の形態においては、アッパカバー１０に対して揺動自在に配設され、操作者がロール紙４０から用紙Ｐを引き出したときの残りの部分であるロール部分４１を押さえる媒体押え部としての用紙押え部１３を備える。
【００２３】
前記フレームシャーシ３０内には内側筐体部としてのロワフレームＬＦが配設され、該ロワフレームＬＦは、前記側壁部２０３、２０４に対して平行に延びる側面２１１、２１２、後壁部２０２に対して平行に延びる後面２１３、該後面２１３の下端から斜め下方に向けて延びる第１の傾斜面２１４、該第１の傾斜面２１４の前端から前方に向けて底壁部２０５に対して平行に延びる底面としての水平面２１５、該水平面２１５の前端から斜め上方に向けて延びる第２の傾斜面２１６、及び該第２の傾斜面２１６の前端からわずかに斜め上方に向けて延びる第３の傾斜面２１７を備え、前記側面２１１、２１２、後面２１３、第１の傾斜面２１４、水平面２１５及び第２の傾斜面２１６によって、アッパカバー１０と対向する面が開放された凹部から成り、ロール紙４０を収容するための半筒状の収容部３１が形成される。
【００２４】
そして、該収容部３１内における下方部分に、ロール部分４１を回転自在に支持する回転支持部が配設される。該回転支持部は、第１の傾斜面２１４に配設された支持ローラＳｒ１、水平面２１５に配設された支持ローラＳｒ２、Ｓｒ３、及び第２の傾斜面２１６に配設された支持ローラＳｒ４から成り、各支持ローラＳｒ１〜Ｓｒ４は、ロール部分４１の回転に従動して（連れ回りで）回転させられる。
【００２５】
前記支持ローラＳｒ１〜Ｓｒ４は、ロール部分４１の径に応じて選択的にロール部分４１を支持し、ロール紙４０が新しく、ロール部分４１の径が大きい間は、図１に示されるように、すべての支持ローラＳｒ１〜Ｓｒ４がロール部分４１を支持し、印字が繰返し行われてロール部分４１の径が小さくなると、図７に示されるように、ロール部分４１が用紙押え部１３のバックテンションローラ２０によって矢印Ｄ方向に押されて後壁部２０２側に移動させられ、支持ローラＳｒ１、Ｓｒ２がロール部分４１を支持する。このように、ロール部分４１は、径が小さくても、複数の支持ローラによって支持されるので、操作者によってロール紙４０から引き出された用紙Ｐを安定させて給紙することができる。
【００２６】
なお、前記用紙押え部１３、収容部３１及び支持ローラＳｒ１〜Ｓｒ４によって、ドロップイン式の給紙装置が構成される。
【００２７】
また、前記第３の傾斜面２１７によって媒体案内部が構成され、第３の傾斜面２１７の前端に隣接させて、搬送部材としてのローラ状のプラテン３３が印字ヘッドユニット１２と対向させて回転自在に配設され、アッパカバー１０が閉鎖された状態で、印字ヘッドユニット１２の下面とプラテン３３とが当接させられ、印字ヘッドユニット１２とプラテン３３との間に印字部が形成され、前記プラテン３３が、媒体搬送用の駆動部としての図示されない搬送用モータを駆動することによって回転させられる。そして、前記前壁部２０１の上面に、用紙Ｐの幅より所定の量だけ広い幅を有する切欠きが形成され、アッパカバー１０が閉鎖された状態で、前記切欠きによって、印字が行われた用紙Ｐを装置本体外に排出するための媒体排出口３４が形成される。
【００２８】
したがって、プラテン３３を回転させることによって、給紙装置から給紙された用紙Ｐは、印字ヘッドユニット１２及びプラテン３３によって挟持されて搬送され、この間に、印字ヘッドユニット１２によって用紙Ｐに対して印字が行われる。そして、印字が行われた後の用紙Ｐは、前記媒体排出口３４を介して装置本体外に排出される。
【００２９】
次に、前記アッパフレームＵＦ及び用紙押え部１３について説明する。
【００３０】
前記アッパフレームＵＦは、アッパカバー１０の側壁部１０３、１０４に対して平行に延びる一対の縦板１２１、１２２、及び該各縦板１２１、１２２の前壁部１０１側の端部を連結し、頂壁部１０５に対して平行に延びる横板１２３を備え、前記縦板１２１、１２２の上縁に、互いに内方に向けて延びる折曲片１３１〜１３６が形成される。そして、前記アッパフレームＵＦは、折曲片１３１〜１３６に形成された穴ｈ１〜ｈ６及び前記横板１２３に形成された穴ｈ７、ｈ８に通した固定要素素としての図示されないねじによって頂壁部１０５の内面に固定される。
【００３１】
前記用紙押え部１３は、装置本体に対して、本実施の形態においては、アッパカバー１０に対して揺動自在に配設されたプレート状のアーム部としての本体部１４１、該本体部１４１における前端部に、本体部１４１に対して回転自在に配設され、ロール部分４１の回転に従動して回転させられる押えローラとしてのバックテンションローラ２０、該バックテンションローラ２０をロール部分４１に向けて付勢し、ロール部分４１に押し付ける第１の付勢部材としての一対のトーションスプリング（捩じりコイルばね）１６等を有する。なお、用紙Ｐが搬送されると、ロール部分４１が力ｆで媒体排出口３４側に向けて引かれるので、バックテンションローラ２０は、ロール部分４１の中心より媒体排出口３４側においてロール部分４１を下方に押す位置に置かれる。
【００３２】
前記本体部１４１の後端部の両縁に、第１の被支持要素としての一対のスリーブ１４３が突出させて形成される。また、前記縦板１２１、１２２の後端部に、第１の支持要素としてのポスト１５が互いに内方に向けて突出させて形成される。そして、該各ポスト１５がそれぞれ前記スリーブ１４３内に嵌入され、本体部１４１はポスト１５によって回転自在に支持される。
【００３３】
また、前記本体部１４１の両縁における後端部より所定の距離だけ前方に、被案内要素としての、かつ、第１の係止要素としてのピン状の突起１８が外方に向けて突出させて形成される。そして、前記縦板１２１、１２２に案内要素としての弧状の長溝１４５が形成される。また、前記各突起１８が、それぞれ長溝１４５内に嵌入され、本体部１４１の回動に伴って長溝１４５に沿って移動させられ（案内され）る。
【００３４】
さらに、前記縦板１２１、１２２の上縁における後端部に、第２の係止要素としてのピン状の突起１９が互いに内方に向けて突出させて形成される。そして、前記トーションスプリング１６は、巻回部ｒｔを各ポスト１５に外嵌させ、一方のアームａｍ１を各突起１８と係止させ、他方のアームａｍ２を各突起１９と係止させることによって、各ポスト１５と同軸上に配設される。
【００３５】
また、前記本体部１４１の前端部の両縁に、第２の支持要素としての一対のスリーブ１４７が形成される。そして、前記バックテンションローラ２０は、ロール部分４１の軸方向長さ、すなわち、用紙Ｐの幅とほぼ同じ幅を有するローラ部１５１、及び該ローラ部１５１の両端から突出させて形成され、各スリーブ１４７内に嵌入される第２の被支持要素としての軸１５２を備え、本体部１４１によって回転自在に支持される。前記各軸１５２は径大部１８１を備え、該径大部１８１内にトルクリミッタが一体化されて収容される。そして、該トルクリミッタの端部に形成され、矩形の形状を有する係合要素としての、かつ、シャフト部としての係合突起１８２と、ローラ部１５１の所定の箇所、本実施の形態においては、軸１５２と対向する端面に形成され、矩形の形状を有する被係合要素としての被係合溝１５５とが係合させられる。
【００３６】
ところで、前記用紙Ｐが搬送され、印字が行われている間、ロール部分４１は収容部３１内において回転させられるが、印字が終了し、用紙Ｐが搬送されなくなったときに、収容部３１内でロール部分４１が、例えば、イナーシャ（慣性力）によって回転し続け、用紙Ｐに弛みが発生すると、再び用紙Ｐの搬送が開始されたときの、弛みがなくなる瞬間に用紙Ｐの搬送系に加わる負荷が変動し、用紙Ｐの搬送不良が発生してしまう。
【００３７】
そこで、本実施の形態においては、印字が終了して用紙Ｐが搬送されなくなったときに、ローラ部分４１を逆方向に回転させることによって、弛みが発生するのを抑制するとともに、仮に、弛みが発生した場合でも、直ちに弛みをなくすようにしている。
【００３８】
そのために、トルクリミッタが一体化された各軸１５２と前記スリーブ１４７との間に、図８に示されるような第２の付勢部材としてのトーションスプリング１６１が、巻回部１６３を前記軸１５２に外嵌させて、一方の係止端ｔｍ１をスリーブ１４７の内周縁の所定の箇所に形成された係止溝１６４と係止させ、他方の係止溝ｔｍ２を、前記径大部１８１の所定の箇所に形成された係止溝１６６と係止させることによって、軸１５２と同軸上に配設される。
【００３９】
印字部において印字が開始され、用紙Ｐが図１における矢印Ａ方向に搬送され、ロール部分４１が矢印Ｂ方向に回転させられると、ロール部分４１に押し付けられたバックテンションローラ２０が、摩擦力によって、ロール部分４１の回転に従動して矢印Ｃ方向に回転させられるが、このとき、トーションスプリング１６１は、軸１５２に対して巻き締められ、バックテンションローラ２０を前記矢印Ｃ方向と逆方向に回転させるための付勢力を蓄える。そして、バックテンションローラ２０が所定の角度だけ回転させられると、トーションスプリング１６１の巻締めは停止させられ、巻締量は許容される最大の値になる。その結果、トーションスプリング１６１は最大の付勢力を蓄えた状態になり、トルクリミッタが一体化された軸１５２が停止させられる。
【００４０】
その後、用紙Ｐに対して印字が行われている間、ロール部分４１は矢印Ｂ方向に回転させられる。この場合、ローラ部１５１は、トルクリミッタの係合突起１８２を介して取り付けられていて、トルクリミッタの制限トルクが用紙Ｐの搬送力以下の値に設定されているので、軸１５２が停止させられても、ロール部分４１の回転に従動して（連れ回りで）回転させられ、トーションスプリング１６１は最大の付勢力を蓄えた状態を維持する。
【００４１】
そして、印字が終了して用紙Ｐが搬送されなくなった後において、収容部３１内でロール部分４１がイナーシャによって矢印Ｂ方向に回転し続けようとすると、トーションスプリング１６１は、蓄えた付勢力でバックテンションローラ２０を矢印Ｃ方向と逆方向に回転させる。
【００４２】
なお、トーションスプリング１６１の巻締量の最大の値は、ロール部分４１のイナーシャによって用紙Ｐに弛みが発生するのを防止することができる値にされる。
【００４３】
前記ロール紙プリンタＰｒにロール紙４０をセットする場合、ロール紙プリンタＰｒの操作者は、まず、図２及び３に示されるように、アッパカバー１０を矢印ａ方向に回動させることによって開放する。このとき、アッパユニット１１は、回動させられ、フレームシャーシ３０から離される。次に、操作者が、前記収容部３１内にロール紙４０を載置すると、ロール部分４１が支持ローラＳｒ１〜Ｓｒ４によって回転自在に支持される。
【００４４】
続いて、操作者が、図４に示されるように、ロール紙４０のロール部分４１から用紙Ｐを引き出し、プラテン３３上に置き、先端を媒体排出口３４より外に出し、続いて、アッパカバー１０を矢印ｂ方向に回動させることによって閉鎖すると、図５に示されるように、ロール紙プリンタＰｒを、媒体排出口３４から用紙Ｐが突出させられた状態に置くことができる。
【００４５】
このとき、用紙押え部１３に取り付けられたバックテンションローラ２０が、ロール部分４１に接触させられ、当接させられ、トーションスプリング１６の付勢力によってロール部分４１に押し付けられる。
【００４６】
次に、前記ロール紙プリンタＰｒの動作について説明する。
【００４７】
図１０は本発明の実施の形態におけるロール紙プリンタの動作を説明するための第１の図、図１１は本発明の実施の形態におけるロール紙プリンタの動作を説明するための第２の図、図１２は本発明の実施の形態におけるロール紙プリンタの動作を説明するための第３の図である。
【００４８】
まず、前記搬送用モータが駆動され、プラテン３３が回転させられて用紙Ｐが印字部に給紙され、印字部において印字が開始される。このとき、用紙Ｐの搬送に伴って、図１及び１０に示されるように、ロール部分４１は矢印Ｂ方向に回転させられる。また、用紙押え部１３に取り付けられたバックテンションローラ２０は矢印Ｃ方向に回転させられ、トーションスプリング１６１は、軸１５２に対して巻き締められる。
【００４９】
そして、バックテンションローラ２０が所定の角度だけ回転させられると、トーションスプリング１６１の巻締めは停止させられ、巻締量は許容される最大の値になり、トーションスプリング１６１は最大の付勢力を蓄えた状態になり、軸１５２が停止させられても、ローラ部１５１は回転を続ける。
【００５０】
続いて、印字が終了すると、用紙Ｐの搬送は停止させられるが、このとき、ロール部分４１が、イナーシャによって矢印Ｂ方向に回転し続けると、図１１において破線で示されるように、用紙Ｐに弛みが発生しようとする。
【００５１】
ところが、前述されたように、トーションスプリング１６１は最大の付勢力を蓄えた状態になっているので、トーションスプリング１６１は蓄えた付勢力でバックテンションローラ２０を矢印Ｅ方向に回転させる。したがって、ロール部分４１がイナーシャによって矢印Ｂ方向に回転し続けるのが抑制されるとともに、用紙Ｐに弛みが発生するのが抑制される。
【００５２】
仮に、用紙Ｐに弛みが発生しても、バックテンションローラ２０が矢印Ｅ方向に回転させられるのに伴い、ロール部分４１が矢印Ｆ方向に回転させられるので、発生した弛みを直ちになくすことができる。
【００５３】
なお、ロール部分４１の径が大きい場合、ロール部分４１のイナーシャが大きく、発生しようとする弛みが大きいが、バックテンションローラ２０はトーションスプリング１６の付勢力によって、大きい押付力でロール部分４１に押し付けられているので、発生する弛みがバックテンションローラ２０が当接する部分を越えることはない。
【００５４】
また、ロール部分４１の径が小さい場合、バックテンションローラ２０がロール部分４１に押し付けられる押付力は小さくなるが、ロール部分４１のイナーシャが小さいので、発生する弛みがバックテンションローラ２０が当接する部分を越えることはない。
【００５５】
このように、本実施の形態においては、用紙押え部１３が、本体部１４１、該本体部１４１に対して回転自在に配設され、前記ロール部分４１に所定の押付力で押し付けられて回転させられるバックテンションローラ２０、及び該バックテンションローラ２０の回転に伴って付勢力を蓄えるトーションスプリング１６１を備えるので、印字が終了して用紙Ｐの搬送が停止させられたときに、トーションスプリング１６１は蓄えた付勢力でバックテンションローラ２０を逆方向に回転させる。
【００５６】
したがって、印字が終了した後においてロール部分４１がイナーシャによって回転し続けるのを抑制することができ、用紙Ｐに弛みが発生するのを抑制することができる。
【００５７】
そして、再び用紙Ｐの搬送が開始されたときの、弛みがなくなる瞬間に用紙Ｐの搬送系に加わる負荷が変動することがなくなる。
【００５８】
その結果、用紙Ｐの搬送不良が発生することがなくなり、用紙Ｐ上の印字位置がずれることがなくなるので、印字品位を向上させることができる。
【００５９】
また、用紙押え部１３がアッパカバー１０に対して揺動自在に配設されるので、アッパカバー１０が開放されるのに伴って、用紙押え部１３はフレームシャーシ３０から離れた位置に置かれる。したがって、ロール紙４０をロール紙プリンタＰｒにセットする際に、用紙押え部１３が操作者の作業を妨げることがない。
【００６０】
本実施の形態においては、ドロップイン式の給紙装置を備えたロール紙プリンタＰｒについて説明しているが、本発明を軸支持式の給紙装置を備えたロール紙プリンタに適用することができる。
【００６１】
また、本実施の形態においては、プリンタについて説明しているが、本発明を複写機、ファクシミリ、複合機等の画像形成装置に適用することができる。
【００６２】
なお、本発明は前記実施の形態に限定されるものではなく、本発明の趣旨に基づいて種々変形させることが可能であり、それらを本発明の範囲から排除するものではない。
【符号の説明】
【００６３】
１２    印字ヘッドユニット
１３    用紙押え部
２０    バックテンションローラ
３３    プラテン
４０    ロール紙
４１    ロール部分
１４１    本体部
１６１    トーションスプリング
Ｐ    用紙
Ｐｒ    ロール紙プリンタ
Ｓｒ１〜Ｓｒ４    支持ローラ
【図１】
2015134655.tif 000003
【図２】
2015134655.tif 000004
【図３】
2015134655.tif 000005
【図４】
2015134655.tif 000006
【図５】
2015134655.tif 000007
【図６】
2015134655.tif 000008
【図７】
2015134655.tif 000009
【図８】
2015134655.tif 000010
【図９】
2015134655.tif 000011
【図１０】
2015134655.tif 000012
【図１１】
2015134655.tif 000013
【図１２】
2015134655.tif 000014